(57)【要約】【課題】  ＵＳＢケーブルを必要とせず、ＳＤカード等の外部メモリを必要とせず外部メモリを挿入するスペースを排除できて軽量、小型化を図れる、外部メモリに依存せず購入者の費用削減を図れ、ＵＳＢジャックに埃や水が付着することを防ぐことができる。【解決手段】  機器本体１内に大容量のメモリが内蔵され、機器本体の側部に開閉手段２で開閉される蓋３とＵＳＢジャック４とＵＳＢジャックの基部５とが上下に配置され、開閉手段は、機器本体内に配置されたピニオンギヤ６と上側の歯部７ａがピニオンギヤと噛み合う一方側のラック７と下側の歯部８ａがピニオンギヤと噛み合う他方側のラック８と一方側のラックの下側の歯部７ｂに噛み合いＵＳＢジャックの基部の奥側に設けられた第１ギヤ９と他方側のラックの上側の歯部８ｂに噛み合い蓋の奥側に設けられた第２ギヤ１０とを有し、機器本体の側面には蓋を開くための凹部１ａが形成されている。【選択図】  図１
2008244931.tif 000002
【特許請求の範囲】
【請求項１】
機器本体の側部からＵＳＢジャックを出し入れ自在にした携帯機器において、前記機器本体内に大容量のメモリが内蔵され、前記機器本体の側部には開閉手段によって開閉される蓋と前記ＵＳＢジャックとこのＵＳＢジャックの基端部を覆う基部とが上下に配置され、前記開閉手段は、前記機器本体内に配置されたピニオンギヤと、上下に歯部が形成されて上側の歯部が前記ピニオンギヤと噛み合う一方側のラックと、両側上下に歯部が形成されて下側の歯部が前記ピニオンギヤと噛み合う他方側のラックと、前記一方側のラックの下側の歯部に噛み合い前記ＵＳＢジャックの前記基部の奥側に設けられた第１ギヤと、前記他方側のラックの上側の歯部に噛み合い前記蓋の奥側に設けられた第２ギヤとを有し、前記他方側のラックの前側に設けられたレバーの上下移動により前記ＵＳＢジャックの基部と前記蓋との開閉状態を検知するフォトインタラプタが前記機器本体内に配置され、前記機器本体の側面には前記蓋を開くための凹部が形成されており、前記ＵＳＢジャックの基部と前記蓋が閉められて前記ＵＳＢジャックが前記蓋の内側に位置している状態で、前記凹部に指を入れて前記蓋を開くことによって、前記第２ギヤが回動して前記他方側のラックが下向きに移動し、この他方側のラックの移動によって前記ピニオンギヤが回転して前記一方側のラックを上向きに移動することにより前記第１ギヤが回転して前記ＵＳＢジャックとその基部が外側にむけて開くように構成したことを特徴とする携帯機器。
【請求項２】
機器本体の側部からＵＳＢジャックを出し入れ自在にした携帯機器において、前記機器本体内に大容量のメモリが内蔵され、前記機器本体の側部の内側には開閉手段が配置され、この開閉手段の動作によって前記ＵＳＢジャックとＵＳＢジャックの基端部を覆う基部とこの基部の上側に配置された蓋が開閉されるように構成され、前記蓋と前記ＵＳＢジャックとその基部が閉められて前記ＵＳＢジャックが前記蓋の内側に位置した状態から前記蓋が開かれたときに前記開閉手段が動作して前記ＵＳＢジャックとその基部が外側に向けて開くように構成したことを特徴とする携帯機器。
【請求項３】
前記開閉手段は、前記機器本体内に配置されたピニオンギヤと、上下に歯部が形成されて上側の歯部が前記ピニオンギヤと噛み合う一方側のラックと、両側上下に歯部が形成されて下側の歯部が前記ピニオンギヤと噛み合う他方側のラックと、前記一方側のラックの下側の歯部に噛み合い前記ＵＳＢジャックの基部の奥側に設けられた第１ギヤと、前記他方側のラックの上側の歯部に噛み合い前記蓋の奥側に設けられた第２ギヤとを有しており、前記蓋を開くことによって、前記第２ギヤが回動して前記他方側のラックが下向きに移動し、この他方側のラックの移動によって前記ピニオンギヤが回転して前記一方側のラックを上向きに移動することにより前記第１ギヤが回転して前記ＵＳＢジャックとその基部とが外側にむけて開くように構成した請求項２に記載の携帯機器。
【請求項４】
前記機器本体の側面には、前記蓋を開くための凹部が形成されている請求項２に記載の携帯機器。
【発明の詳細な説明】
【技術分野】
【０００１】
本発明は、機器本体の側部からＵＳＢジャックを出し入れ自在にした携帯機器に関するものである。
【背景技術】
【０００２】
第１の従来技術を図３（ａ）（ｂ）に示す。この従来の撮影装置は、図３（ａ）（ｂ）に示すように、デジタルカメラ１１０の図中右側面には、外部装置とデジタルカメラ１１０を接続するためのコネクタオス端子１１６が取り付けられている。コネクタオス端子１１６はデジタルカメラ１１０の筐体１１０ａに格納可能となっている。デジタルカメラ１１０の図中下面の符号１１８は、コネクタオス端子１１６を出し入れするためのツマミである。コネクタオス端子１１６は、ツマミ１１８をスライドすることにより出し入れされる。また、コネクタオス端子１１６は、ツマミ１１８により引き出された時に固定可能となっている。また、デジタルカメラ１１０の左側面には、デジタルカメラ１１０を外部装置と接続するためのコネクタメス端子（図示略）が取り付けられている。なお、コネクタオス端子１１６及びコネクタメス端子（図示略）はそれぞれ複数個設けられていてもよい。コネクタオス端子１１６とコネクタメス端子（図示略）は同時に使用することができるように配置されている。（例えば、特許文献１参照）。
【０００３】
ところが、これにおいては、図３（ｂ）に示すように、コネクタオス端子１１６をデジタルカメラ１１０に納めた状態では、その先端が外部に露出した状態となっているために、埃や水が付きやすいという問題があった。
【０００４】
第２の従来技術を図４、図５に示す。この従来のポータブルデータ記憶装置は、図４、図５に示すように、ポータブルデバイス２７０は、その前端にＵＳＢコネクタ２１８が突き出ている。カメラモジュール２５０は単一構造でポータブルデバイス２７０と構造的に一体化されている。ポータブルデバイス２７０には、光学レンズ２５４とイメージ捕捉ボタン２６９と書き込み禁止スイッチ２４０が設けられている。ＵＳＢコネクタ２１８はホストプラットフォーム２９５のＵＳＢポートに直接結合するようになっている。（例えば、特許文献２参照）。
【０００５】
ところが、これにおいては、ＵＳＢコネクタ２１８が外部に露出しているために、埃や水が付きやすいという問題があった。
【０００６】
第３の従来技術を図６、図７に示す。防水カメラ３０１は、本体筐体３０２内に形成され開閉蓋である電池蓋３０８で閉止された電池室３０６に一次電池または及び充電可能な二次電池３０７が収納され、本体筐体３０２内部とは隔離されるとともにコネクタ蓋３１３で防水状態に形成された端子室３０９に、少なくとも充電兼用ＵＳＢ端子３１０を形成し、電池室３０６に二次電池３０７が収納されていると、コネクタ蓋３１３を開いて充電兼用ＵＳＢ端子３１０から電源を供給して、二次電池３０７を充電可能としている。したがって、二次電池３０７の容量が減ったり無くなっても、濡れた手で濡れた電池室３０６を開いて電池を交換することで、電池接片の腐食やショートが発生することを防止でき、防水性及び利用性を向上させることができる。          （例えば、特許文献３参照）。
【０００７】
ところが、これにおいては、充電兼用ＵＳＢ端子３１０が防水カメラ３０１内に配置されているために、接続コード３１７を必要とするために、部品点数が多くなり、また、接続に手間がかかるという問題があった。
【特許文献１】特開２００６−２０１６１号公報
【特許文献２】特表２００５−５１８７４２号公報
【特許文献３】特開２００４−９４０６６号公報
【発明の開示】
【発明が解決しようとする課題】
【０００８】
本発明は、上記従来の問題に鑑みてなされたものであって、ＵＳＢケーブルを必要とせず、しかも、ＳＤカード等の外部メモリを必要とせず外部メモリを挿入するスペースを排除することができて軽量、小型化を図ることができると共に外部メモリに依存せず購入者の費用削減を図ることができ、また、ＵＳＢジャックに埃や水が付着することを防ぐことができる携帯機器を提供することを目的としている。
【課題を解決するための手段】
【０００９】
本発明は、上記課題を解決するために提案されたものであって、請求項１に記載の発明は、機器本体の側部からＵＳＢジャックを出し入れ自在にした携帯機器において、前記機器本体内に大容量のメモリが内蔵され、前記機器本体の側部には開閉手段によって開閉される蓋と前記ＵＳＢジャックとこのＵＳＢジャックの基端部を覆う基部とが上下に配置され、前記開閉手段は、前記機器本体内に配置されたピニオンギヤと、上下に歯部が形成されて上側の歯部が前記ピニオンギヤと噛み合う一方側のラックと、両側上下に歯部が形成されて下側の歯部が前記ピニオンギヤと噛み合う他方側のラックと、前記一方側のラックの下側の歯部に噛み合い前記ＵＳＢジャックの前記基部の奥側に設けられた第１ギヤと、前記他方側のラックの上側の歯部に噛み合い前記蓋の奥側に設けられた第２ギヤとを有し、前記他方側のラックの前側に設けられたレバーの上下移動により前記ＵＳＢジャックの基部と前記蓋との開閉状態を検知するフォトインタラプタが前記機器本体内に配置され、前記機器本体の側面には前記蓋を開くための凹部が形成されており、前記ＵＳＢジャックの基部と前記蓋が閉められて前記ＵＳＢジャックが前記蓋の内側に位置している状態で、前記凹部に指を入れて前記蓋を開くことによって、前記第２ギヤが回動して前記他方側のラックが下向きに移動し、この他方側のラックの移動によって前記ピニオンギヤが回転して前記一方側のラックを上向きに移動することにより前記第１ギヤが回転して前記ＵＳＢジャックとその基部が外側にむけて開くように構成したことを特徴としている。
【００１０】
請求項２に記載の発明は、機器本体の側部からＵＳＢジャックを出し入れ自在にした携帯機器において、前記機器本体内に大容量のメモリが内蔵され、前記機器本体の側部の内側には開閉手段が配置され、この開閉手段の動作によって前記ＵＳＢジャックとＵＳＢジャックの基端部を覆う基部とこの基部の上側に配置された蓋が開閉されるように構成され、前記蓋と前記ＵＳＢジャックとその基部が閉められて前記ＵＳＢジャックが前記蓋の内側に位置した状態から前記蓋が開かれたときに前記開閉手段が動作して前記ＵＳＢジャックとその基部が外側に向けて開くように構成したことを特徴としている。
【００１１】
請求項３に記載の発明は、請求項２に記載の発明において、前記開閉手段は、前記機器本体内に配置されたピニオンギヤと、上下に歯部が形成されて上側の歯部が前記ピニオンギヤと噛み合う一方側のラックと、両側上下に歯部が形成されて下側の歯部が前記ピニオンギヤと噛み合う他方側のラックと、前記一方側のラックの下側の歯部に噛み合い前記ＵＳＢジャックの基部の奥側に設けられた第１ギヤと、前記他方側のラックの上側の歯部に噛み合い前記蓋の奥側に設けられた第２ギヤとを有しており、前記蓋を開くことによって、前記第２ギヤが回動して前記他方側のラックが下向きに移動し、この他方側のラックの移動によって前記ピニオンギヤが回転して前記一方側のラックを上向きに移動することにより前記第１ギヤが回転して前記ＵＳＢジャックとその基部とが外側にむけて開くように構成した。
【００１２】
請求項４に記載の発明は、請求項２に記載の発明において、前記機器本体の側面には、前記蓋を開くための凹部が形成されている。
【発明の効果】
【００１３】
請求項１に記載の発明によれば、機器本体内に大容量のメモリが内蔵され、機器本体の側部から開閉手段によってＵＳＢジャックを開いて外部に出すことができ、このＵＳＢジャックをパーソナルコンピューター等の機器に直接接続できるから、ＵＳＢケーブルを必要とせず、しかも、ＳＤカード等の外部メモリを必要としない。従って、機器本体に外部メモリを挿入するスペースを排除することができて軽量、小型化を図ることができると共に外部メモリに依存しないから、購入者の費用削減を図ることができる。また、蓋とＵＳＢジャックとＵＳＢジャックの基端部を覆う基部が閉められている状態では、ＵＳＢジャックが蓋の内側に位置することになるから、ＵＳＢジャックが外部に露出せず、このＵＳＢジャックに埃や水が付着することを防ぐことができる。しかも、機器本体の側面に蓋を開くための凹部が形成されているから、この凹部に指を入れて蓋を簡単に開くことができ、この蓋を開くだけで開閉手段によってＵＳＢジャックを同時に開くことができ、開閉操作を簡単に行うことができる。更に、開閉手段の他方側のラックの前側に設けられたレバーがラックの上下移動に伴って上下移動し、このレバーの上下移動によりフォトインタラプタで蓋とＵＳＢジャックの基部の開閉状態を正確に検知することができる。更に、開閉手段が、ピニオンギヤと上下に歯部が形成されて上側の歯部がピニオンギヤに噛み合う一方側のラックと、両側上下に歯部が形成されて下側の歯部がピニオンギヤと噛み合う他方側のラックと、一方側のラックの下側の歯部に噛み合いＵＳＢジャックの基部の奥側に設けられた第１ギヤと、他方側のラックの上側の歯部に噛み合い蓋の奥側に設けられた第２ギヤとを有しているから、蓋を開けることにより、開閉手段を介してＵＳＢジャックの基部を正確に開くことができて、ＵＳＢジャックを接続可能な状態とすることができる。更に、ＵＳＢジャックを充電可能なものとすることによって、機器本体内の充電をこのＵＳＢジャックで行うことができる利点がある。
【００１４】
請求項２に記載の発明によれば、機器本体内に大容量のメモリが内蔵され、機器本体の側部から開閉手段によってＵＳＢジャックを開いて外部に出すことができ、このＵＳＢジャックをパーソナルコンピューター等の機器に直接接続できるから、ＵＳＢケーブルを必要とせず、しかも、ＳＤカード等の外部メモリを必要としない。従って、機器本体に外部メモリを挿入するスペースを排除することができて軽量、小型化を図ることができると共に外部メモリに依存しないから、購入者の費用削減を図ることができる。また、蓋とＵＳＢジャックとＵＳＢジャックの基端部を覆う基部が閉められている状態では、ＵＳＢジャックが蓋の内側に位置することになるから、ＵＳＢジャックが外部に露出せず、このＵＳＢジャックに埃や水が付着することを防ぐことができる。更に、ＵＳＢジャックを充電可能なものとすることによって、機器本体内の充電をこのＵＳＢジャックで行うことができる利点がある。
【００１５】
請求項３に記載の発明によれば、開閉手段が、ピニオンギヤと上下に歯部が形成されて上側の歯部がピニオンギヤに噛み合う一方側のラックと、両側上下に歯部が形成されて下側の歯部が前記ピニオンギヤと噛み合う他方側のラックと、前記一方側のラックの下側の歯部に噛み合い前記ＵＳＢジャックの前記基部の奥側に設けられた第１ギヤと、前記他方側のラックの上側の歯部に噛み合い前記蓋の奥側に設けられた第２ギヤとを有しているから、蓋を開けることにより、開閉手段を介してＵＳＢジャックの基部を正確に開くことができて、ＵＳＢジャックを接続可能な状態とすることができる。
【００１６】
請求項４に記載の発明によれば、機器本体の側面に、蓋を開くための凹部が形成されているから、この凹部に指を入れて蓋を簡単に開くことができ、この蓋を開くことにより、開閉手段が作動してＵＳＢジャックの基部を開くことができ、ＵＳＢジャックを接続可能な状態に簡単にできて、その操作が行い易い。
【発明を実施するための最良の形態】
【００１７】
以下、本発明に係る携帯機器の実施の形態について、図を参照しつつ説明する。尚、下記する実施形態では、小型テレビについて説明するが、本発明は他の携帯機器にも適用できるものである。
【００１８】
図１は本発明に係る携帯機器の一例である小型テレビにおけるＵＳＢジャックが開いて接続可能な状態を示し、（ａ）はその斜視図、（ｂ）はその開閉手段の構造を示す拡大側面図、図２は小型テレビにおける蓋とＵＳＢジャックの基部が閉められている状態を示し、（ａ）はその斜視図、（ｂ）はその開閉手段の構造を示す拡大側面図である。
【００１９】
本実施形態の携帯機器の一例である小型テレビは、図１（ａ）、図２（ａ）に示すように、機器本体１内に大容量のメモリ（図示略）が内蔵され、機器本体１の側部には、後述する開閉手段２によって開閉する蓋３とＵＳＢジャック４とこのＵＳＢジャック４の基端部を覆う基部５とが上下に配置されている。尚、上記したメモリは５１２メガ程度が好ましい。図２（ａ）（ｂ）に示すように、蓋３とＵＳＢジャック４の基部５とが閉められた状態では、ＵＳＢジャック４は蓋３の内側に位置している。また、機器本体１の側面には、指を入れて蓋１を開けるための凹部１ａが形成されている。更に、蓋３とＵＳＢジャック４の基部５の奥部は、機器本体１内に枢着されている。
【００２０】
開閉手段１は、図１（ｂ）、図２（ｂ）に示すように、機器本体１内に配置されたピニオンギヤ６と、上下に歯部７ａ、７ｂが形成されて上側の歯部７ａがピニオンギヤ６と噛み合う一方側（図にて左側）のラック７と、両側上下に歯部８ａ、８ｂが形成されて下側の歯部８ａがピニオンギヤ６と噛み合う他方側（図にて右側）のラック８と、一方側のラック７の下側の歯部７ｂに噛み合いＵＳＢジャック４の基部５の奥側に設けられた第１ギヤ９と、他方側のラック８の上側の歯部８ｂに噛み合い蓋３の奥側に設けられた第２ギヤ１０とを有している。また、他方側のラック８の前側にレバー１１が設けられ、ラック８と一体に移動するレバー１１の上下移動によりＵＳＢジャック４の基部５と蓋部３の開閉状態を検知するフォトインタラプタ１２が機器本体１内に配置されている。図１（ｂ）の状態、即ち、レバー１１がフォトインタラプタ１２の手前に位置するときに、ＵＳＢジャック４の基部５と蓋３が開いた状態であることをフォトインタラプタ１２で検知するように構成されている。
【００２１】
次に、上記した構成による作動について説明すると、図２（ａ）（ｂ）に示すように、蓋３とＵＳＢジャック４の基部５が閉められた状態から機器本体１の凹部１ａに指を入れて蓋３を開くことによって、第２ギヤ１０が回動してこの第２ギヤ１０に上側の歯部８ｂが噛み合う他方側のラック８が下向きに移動し、この他方側のラック８の移動によって、下側の歯部８ａと噛み合うピニオンギヤ６が回転して上側の歯部７ａがピニオンギヤ６に噛み合う一方側のラック７が上向きに移動し、この一方側のラック７の下側の歯部７ｂに噛み合う第１ギヤ９が回転して図１（ａ）（ｂ）に示すように、ＵＳＢジャック４の基部５が外側に向けて開く。
【００２２】
従って、本実施形態によれば、機器本体１内に大容量のメモリが内蔵され、機器本体１の側部から開閉手段２によってＵＳＢジャック４を開いて外部に出すことができ、このＵＳＢジャック４をパーソナルコンピューター等の機器に直接接続できるから、ＵＳＢケーブルを必要とせず、しかも、ＳＤカード等の外部メモリを必要としない。従って、機器本体に外部メモリを挿入するスペースを排除することができて軽量、小型化を図ることができると共に外部メモリに依存しないから、購入者の費用削減を図ることができる。また、蓋３とＵＳＢジャック４とＵＳＢジャック４の基端部を覆う基部５が閉められている状態では、ＵＳＢジャック４が蓋３の内側に位置することになるから、ＵＳＢジャック４が外部に露出せず、このＵＳＢジャック４に埃や水が付着することを防ぐことができる。
【００２３】
しかも、機器本体１の側面に蓋３を開くための凹部１ａが形成されているから、この凹部１ａに指を入れて蓋３を簡単に開くことができ、この蓋３を開くだけで開閉手段２によってＵＳＢジャック４を同時に開くことができ、開閉操作を簡単に行うことができる。更に、開閉手段２の他方側のラック８の前側に設けられたレバー１１がラック８の上下移動に伴って上下移動し、このレバー１１の上下移動によりフォトインタラプタ１２で蓋３とＵＳＢジャック４の基部５の開閉状態を正確に検知することができる。
【００２４】
更に、開閉手段２が、ピニオンギヤ６と上下に歯部７ａ、７ｂが形成されて上側の歯部７ａがピニオンギヤ６に噛み合う一方側のラック７と、両側上下に歯部８ａ、８ｂが形成されて下側の歯部８ａがピニオンギヤ６と噛み合う他方側のラック８と、一方側のラック７の下側の歯部７ｂに噛み合いＵＳＢジャック４の基部５の奥側に設けられた第１ギヤ９と、他方側のラック８の上側の歯部８ｂに噛み合い蓋３の奥側に設けられた第２ギヤ１０とを有しているから、蓋３を開けることにより、開閉手段２を介してＵＳＢジャック４の基部５を正確に開くことができてＵＳＢジャック４を接続可能な状態とすることができる。更に、ＵＳＢジャック４を充電可能なものとすることによって、機器本体１内の充電をこのＵＳＢジャック４で行うことができる利点がある。
【図面の簡単な説明】
【００２５】
【図１】本発明に係る携帯機器の一例である小型テレビにおけるＵＳＢジャックが開いて接続可能な状態を示し、（ａ）はその斜視図、（ｂ）はその開閉手段の構造を示す拡大側面図である。
【図２】小型テレビにおける蓋とＵＳＢジャックの基部が閉められている状態を示し、（ａ）はその斜視図、（ｂ）はその開閉手段の構造を示す拡大側面図である。
【図３】従来の撮像装置を示し、（ａ）はそのコネクタオス端子が外部に出ている状態を示す斜視図、（ｂ）はそのコネクタオス端子がデジタルカメラ内に収納されている状態を示す斜視図である。
【図４】従来のポータブルデータ記憶装置のブロック図である。
【図５】同装置における一体型デジタルカメラモジュールを備えたポータブルデバイスの前面斜視図である。
【図６】従来の防水カメラの正面図である。
【図７】同防水カメラのコネクタ蓋を開いた状態の右側面図である。
【符号の説明】
【００２６】
１      機器本体
１ａ    凹部
２      開閉手段
３      蓋
４      ＵＳＢジャック
５      基部
６      ピニオンギヤ
７      一方側のラック
７ａ    上側の歯部
７ｂ    下側の歯部
８      他方側のラック
８ａ    下側の歯部
８ｂ    上側の歯部
９      第１ギヤ
１０    第２ギヤ
１１    レバー
１２    フォトインタラプタ
【図１】
2008244931.tif 000003
【図２】
2008244931.tif 000004
【図３】
2008244931.tif 000005
【図４】
2008244931.tif 000006
【図５】
2008244931.tif 000007
【図６】
2008244931.tif 000008
【図７】
2008244931.tif 000009